【手続補正書】
【提出日】平成15年7月22日(2003.7.22)
【手続補正１】
【補正対象書類名】明細書
【補正対象項目名】特許請求の範囲
【補正方法】変更
【補正の内容】
【特許請求の範囲】
【請求項１】
複数のデータ線と、該複数のデータ線を介して画像信号が供給される複数の画素とを備える電気光学装置において、
プリチャージ信号を伝搬するプリチャージ信号線と、
前記複数のデータ線と前記プリチャージ信号線との間に各々介在する複数のスイッチング手段により前記プリチャージ信号を前記画像信号の供給に先行して前記複数のデータ線に各々供給するプリチャージ回路と、
前記複数のデータ線に供給する前記プリチャージ信号の電位レベルを、連続的または段階的に変化させて前記プリチャージ信号線に供給するプリチャージ信号供給手段と、
を備えたことを特徴とする電気光学装置。
【請求項２】
前記プリチャージ信号供給手段から供給される前記プリチャージ信号を、信号電圧レベルが除々に小さくなる信号波形とすることを特徴とする請求項１に記載の電気光学装置。
【請求項３】
前記プリチャージ信号供給手段から供給される前記プリチャージ信号を、信号電圧レベルが除々に大きくなる信号波形とすることを特徴とする請求項１に記載の電気光学装置。
【請求項４】
前記プリチャージ信号供給手段から供給される前記プリチャージ信号を、パルス波形とすることを特徴とする請求項１に記載の電気光学装置。
【請求項５】
前記プリチャージ回路の複数のスイッチング手段に対する駆動信号を伝搬するプリチャージ回路駆動信号線、及び前記プリチャージ信号線は、それぞれの両端側から信号供給されることを特徴とする請求項１乃至請求項４のいずれか一項に記載の電気光学装置。
【請求項６】
前記プリチャージ回路は一括して前記複数のスイッチング手段を導通させることを特徴とする請求項１乃至請求項５の何れか一項に記載の電気光学装置。
【請求項７】
前記プリチャージ回路は、前記データ線へ画像信号を供給するタイミングに先行して前記スイッチング手段を所定の順序で導通させ、前記プリチャージ信号供給手段は、一水平走査期間内にてプリチャージ信号を連続的あるいは段階的に変化させることを特徴とする請求項１乃至請求項６のいずれか一項に記載の電気光学装置。
【請求項８】
前記プリチャージ信号供給手段は、前記プリチャージ信号の供給直後のデータ線の電位レベルが前記複数のデータ線においてほぼ等しくなるように、前記プリチャージ信号波形を変化させることを特徴とする請求項１乃至請求項７のいずれか一項に記載の電気光学装置。
【請求項９】
双方向シフトレジスタによるシフト動作に応じて前記複数のデータ線に所定の順序で画像信号を供給するデータ線駆動回路を備え、前記プリチャージ信号供給手段は、前記双方向シフトレジスタのシフト方向に応じて前記プリチャージ信号の変化を変更可能であることを特徴とする請求項１乃至請求項７のいずれか一項に記載の電気光学装置。
【請求項１０】
請求項１乃至請求項９の何れか一項に記載の電気光学装置を備えたことを特徴とする電子機器。
【請求項１１】
複数のデータ線と、該複数のデータ線を介して画像信号が供給される画素とを備えた電気光学装置の駆動方法であって、
前記データ線に画像信号を供給するのに先立って前記複数のデータ線に接続された複数のスイッチング手段を各々介して、前記複数のデータ線にプリチャージ信号を供給し、
前記複数のデータ線に供給する前記プリチャージ信号の電位レベルを、連続的または段階的に変化させる
ことを特徴とする電気光学装置の駆動方法。
【請求項１２】
前記プリチャージ信号を、信号電圧レベルが除々に小さくなる信号波形とすることを特徴とする請求項１１に記載の電気光学装置の駆動方法。
【請求項１３】
前記プリチャージ信号を、信号電圧レベルが徐々に大きくなる信号波形とすることを特徴とする請求項１１に記載の電気光学装置の駆動方法。
【請求項１４】
前記プリチャージ信号を、パルス波形として供給することを特徴とする請求項１１に記載の電気光学装置の駆動方法。
【請求項１５】
前記プリチャージ信号は、該プリチャージ信号を前記プリチャージ回路に供給する供給配線の両端側から供給することを特徴とする請求項１１乃至請求項１４のいずれか一項に記載の電気光学装置の駆動方法。
【請求項１６】
前記プリチャージ信号の供給時に一括して前記複数のスイッチング手段を導通させることを特徴とする請求項１１乃至請求項１５のいずれか一項に記載の電気光学装置の駆動方法。
【請求項１７】
前記データ線へ画像信号を供給するタイミングに先行して前記スイッチング手段を所定の順序で導通させ、前記プリチャージ信号の電位レベルを一水平走査期間内にて連続的あるいは段階的に変化させることを特徴とする請求項１１乃至請求項１５のいずれか一項に記載の電気光学装置の駆動方法。
【請求項１８】
前記プリチャージ信号供給手段は、前記プリチャージ信号を供給した直後のデータ線の電位レベルが前記複数のデータ線においてほぼ等しくなるように、前記プリチャージ信号波形を変化させることを特徴とする請求項１１乃至請求項１７のいずれか一項に記載の電気光学装置の駆動方法。
【請求項１９】
前記プリチャージ信号の波形を調整することにより、当該電気光学装置の電圧−透過率特性を画面内にて均一化調整することを特徴とする請求項１１乃至請求項１７のいずれか一項に記載の電気光学装置の駆動方法。
【請求項２０】
複数のデータ線と、該データ線を介して画像信号が供給される複数の画素とを備えた電気光学装置の駆動方法であって、
前記データ線に画像信号を供給するのに先立って前記複数のデータ線に接続された複数のスイッチング手段を各々介して、前記複数のデータ線にプリチャージ信号を供給し、
前記複数のデータ線に供給する前記プリチャージ信号の電位レベルを調整することにより、当該電気光学装置の電圧−輝度又は透過率の特性の画面内のバラツキを調整する
ことを特徴とする電気光学装置の駆動方法。
【請求項２１】
互いに交差する複数の走査線及び複数のデータ線と、該走査線と該データ線に対応して設けられた複数の画素スイッチング素子とを有する電気光学装置において、
前記走査線を選択する走査線制御回路と、
前記走査線が選択される毎に、前記データ線に画像信号を出力して、前記選択された走査線に接続される前記画素に前記画像信号を供給するデータ線制御回路と、
前記画像信号が前記データ線に出力される前に、前記データ線にプリチャージ信号を出力するプリチャージ信号制御回路とを備え、
基準電位に対する前記データ線に出力される前記画像信号の電位レベルの極性を所定の期間毎に反転してなり、
前記プリチャージ信号制御回路は、前記画像信号が前記データ線に出力される前に、少なくとも２つの電位レベルを有するプリチャージ信号を前記データ線に出力する
ことを特徴とする電気光学装置。
【請求項２２】
互いに交差する複数の走査線及び複数のデータ線と、該走査線と該データ線に対応して設けられた複数の画素スイッチング素子とを有するアクティブマトリクス型の電気光学装置の駆動方法において、
前記複数の走査線を順次選択し、
前記走査線が選択される毎に、前記データ線に画像信号を出力して、前記選択された走査線に接続される前記画素に前記画像信号を供給し、
前記画像信号が前記データ線に出力される前に、前記データ線にプリチャージ信号を出力し、
基準電位に対する前記データ線に出力される前記画像信号の電位レベルの極性を所定の期間毎に反転してなり、
前記プリチャージ信号は少なくとも２つのプリチャージ信号電位レベルを有し、前記プリチャージ信号が出力される直前の前記データ線の電位との電位差が少ない方の前記プリチャージ信号電位レベルから順次出力される
ことを特徴とする電気光学装置の駆動方法。
【請求項２３】
互いに交差する複数の走査線及び複数のデータ線と、該走査線と該データ線に対応して設けられた複数の画素スイッチング素子とを有する電気光学装置において、
前記走査線を選択する走査線制御回路と、
前記走査線が選択される毎に、前記データ線に画像信号を出力して、前記選択された走査線に接続される前記画素に前記画像信号を供給するデータ線制御回路と、
前記画像信号が前記データ線に出力される前に、前記データ線に電位レベルが連続的に変化するプリチャージ信号を出力するプリチャージ信号制御回路とを備え、
基準電位に対する前記データ線に出力される前記画像信号の電位レベルの極性を所定の期間毎に反転してなる
ことを特徴とする電気光学装置。
【請求項２４】
互いに交差する複数の走査線及び複数のデータ線と、該走査線と該データ線に対応して設けられた複数の画素スイッチング素子とを有する電気光学装置の駆動方法において、
前記複数の走査線を順次選択し、
前記走査線が選択される毎に、前記データ線に画像信号を出力して、前記選択された走査線に接続される前記画素に前記画像信号を供給し、
前記画像信号が前記データ線に出力される前に、前記データ線にプリチャージ信号を出力し、
基準電位に対する前記データ線に出力される前記画像信号の電位レベルの極性を所定の期間毎に反転してなり、
前記プリチャージ信号は、前記プリチャージ信号が出力される直前の前記データ線の電位レベルに近い所定の電位から連続的に電圧が変化する
ことを特徴とする電気光学装置の駆動方法。
【請求項２５】
互いに交差する複数の走査線及び複数のデータ線と、該走査線と該データ線に対応して設けられた複数の画素スイッチング素子とを有する電気光学装置を備える電子機器において、
前記走査線を選択する走査線制御回路と、
前記走査線が選択される毎に、前記データ線に画像信号を出力して、前記選択された走査線に接続される前記画素に前記画像信号を供給するデータ線制御回路と、
前記画像信号が前記データ線に出力される前に、前記データ線にプリチャージ信号を出力すると共に、前記プリチャージ信号出力時の出力電流を所定の値以内に抑えるプリチャージ信号制御回路とを備え、
基準電位に対する前記データ線に出力される前記画像信号の電位レベルの極性を所定の期間毎に反転してなる
ことを特徴とする電子機器。
【請求項２６】
互いに交差する複数の走査線及び複数のデータ線と、該走査線と該データ線に対応して設けられた複数の画素スイッチング素子とを有する電気光学装置の駆動方法において、
前記複数の走査線を順次選択し、
前記走査線が選択される毎に、前記データ線に画像信号を出力して、前記選択された走査線に接続される前記画素に前記画像信号を供給し、
基準電位に対する前記データ線に出力される前記画像信号の電位レベルの極性を所定の期間毎に反転し、
前記画像信号が前記データ線に出力される前に、出力電流を所定の値以内に抑えたプリチャージ信号を前記データ線に出力してなる
ことを特徴とする電気光学装置の駆動方法。
【手続補正２】
【補正対象書類名】明細書
【補正対象項目名】００７３
【補正方法】変更
【補正の内容】
【００７３】
また、本発明の電気光学装置は、互いに交差する複数の走査線及び複数のデータ線と、該走査線と該データ線に対応して設けられた複数の画素スイッチング素子とを有する電気光学装置において、前記走査線を選択する走査線制御回路と、前記走査線が選択される毎に、前記データ線に画像信号を出力して、前記選択された走査線に接続される前記画素に前記画像信号を供給するデータ線制御回路と、前記画像信号が前記データ線に出力される前に、前記データ線にプリチャージ信号を出力するプリチャージ信号制御回路とを備え、基準電位に対する前記データ線に出力される前記画像信号の電位レベルの極性を所定の期間毎に反転してなり、前記プリチャージ信号制御回路は、前記画像信号が前記データ線に出力される前に、少なくとも２つの電位レベルを有するプリチャージ信号を前記データ線に出力することを特徴とする。


【手続補正３】
【補正対象書類名】明細書
【補正対象項目名】００７６
【補正方法】変更
【補正の内容】
【００７６】
また、本発明の電気光学装置の駆動方法は、互いに交差する複数の走査線及び複数のデータ線と、該走査線と該データ線に対応して設けられた複数の画素スイッチング素子とを有する電気光学装置の駆動方法において、前記複数の走査線を順次選択し、前記走査線が選択される毎に、前記データ線に画像信号を出力して、前記選択された走査線に接続される前記画素に前記画像信号を供給し、前記画像信号が前記データ線に出力される前に、前記データ線にプリチャージ信号を出力し、基準電位に対する前記データ線に出力される前記画像信号の電位レベルの極性を所定の期間毎に反転してなり、前記プリチャージ信号は少なくとも２つのプリチャージ信号電位レベルを有し、前記プリチャージ信号が出力される直前の前記データ線の電位との電位差が少ない方の前記プリチャージ信号電位レベルから順次出力されることを特徴とする。


【手続補正４】
【補正対象書類名】明細書
【補正対象項目名】００７９
【補正方法】変更
【補正の内容】
【００７９】
また、本発明の電気光学装置は、互いに交差する複数の走査線及び複数のデータ線と、該走査線と該データ線に対応して設けられた複数の画素スイッチング素子とを有する電気光学装置において、前記走査線を選択する走査線制御回路と、前記走査線が選択される一水平走査期間毎に、前記データ線に画像信号を出力して、前記選択された走査線に接続される前記画素に前記画像信号を供給するデータ線制御回路と、前記画像信号が前記データ線に出力される前に、前記データ線に電位レベルが連続的に変化するプリチャージ信号を出力するプリチャージ信号制御回路とを備え、基準電位に対する前記データ線に出力される前記画像信号の電位レベルの極性を所定の期間毎に反転してなることを特徴とする。


【手続補正５】
【補正対象書類名】明細書
【補正対象項目名】００８２
【補正方法】変更
【補正の内容】
【００８２】
また、本発明の電気光学装置の駆動方法は、互いに交差する複数の走査線及び複数のデータ線と、該走査線と該データ線に対応して設けられた複数の画素スイッチング素子とを有する電気光学装置の駆動方法において、前記複数の走査線を順次選択し、前記走査線が選択される毎に、前記データ線に画像信号を出力して、前記選択された走査線に接続される前記画素に前記画像信号を供給し、前記画像信号が前記データ線に出力される前に、前記データ線にプリチャージ信号を出力し、基準電位に対する前記データ線に出力される前記画像信号の電位レベルの極性を所定の期間毎に反転してなり、前記プリチャージ信号は、前記プリチャージ信号が出力される直前の前記データ線の電位レベルに近い所定の電位から連続的に電圧が変化することを特徴とする。


【手続補正６】
【補正対象書類名】明細書
【補正対象項目名】００８５
【補正方法】変更
【補正の内容】
【００８５】
また、本発明の電気光学装置は、互いに交差する複数の走査線及び複数のデータ線と、該走査線と該データ線に対応して設けられた複数の画素スイッチング素子とを有する電気光学装置において、前記走査線を選択する走査線制御回路と、前記走査線が選択される毎に、前記データ線に画像信号を出力して、前記選択された走査線に接続される前記画素に前記画像信号を供給するデータ線制御回路と、前記画像信号が前記データ線出力される前に、前記データ線にプリチャージ信号を出力すると共に、前記プリチャージ信号出力時の出力電流を所定の値以内に抑えるプリチャージ信号制御回路とを備え、基準電位に対する前記データ線に出力される前記画像信号の電位レベルの極性を所定の期間毎に反転してなることを特徴とする。


【手続補正７】
【補正対象書類名】明細書
【補正対象項目名】００８７
【補正方法】変更
【補正の内容】
【００８７】
また、本発明の電気光学装置の駆動方法は、互いに交差する複数の走査線及び複数のデータ線と、該走査線と該データ線に対応して設けられた複数の画素スイッチング素子とを有し、該各画素にはスイッチング素子が設けられてなるアクティブマトリクス型の電気光学装置の駆動方法において、前記複数の走査線を順次選択し、前記走査線が選択される毎に、前記データ線に画像信号を出力して、前記選択された走査線に接続される前記画素の液晶の一端に前記画像信号を供給し、基準電位に対する前記データ線に出力される前記画像信号の電位レベルの極性を所定の期間毎に反転し、前記画像信号が前記データ線に出力される前に、出力電流を所定の値以内に抑えたプリチャージ信号を前記データ線に出力してなることを特徴とする。